(57)【要約】【課題】印刷物の美観を損なうことなく、条件に応じて選択された広告を提示する情報配信システム、情報処理装置及び情報配信プログラムを提供する。【解決手段】印刷装置３は、自己の装置の使用状況に応じた属性値が設定される機器属性情報３１２を記憶する記憶部３１と、機器属性情報３１２に基づいた付加情報を情報配信サーバ１から受信する付加情報受信手段３０２と、端末２から文書情報の印刷要求を受信する印刷要求受信手段３００と、端末２から、端末２の利用者の属性値が設定される利用者属性情報３１４を受信する利用者属性情報受信手段３０１と、利用者属性情報３１４に基づいて付加情報受信手段３０２が受信した付加情報３１５から付加情報を選択する付加情報選択手段３０３と、選択した付加情報を端末２に送信する付加情報送信手段３０４とを有する。【選択図】図１
2014078200.tif 000002
【特許請求の範囲】
【請求項１】
自己の装置の使用状況に応じた属性値が設定される機器属性情報を記憶し、当該機器属性情報に基づいて外部から付加情報を取得する情報処理装置と、
利用者の属性値が設定される利用者属性情報を記憶し、当該利用者属性情報とともに前記情報処理装置に文書情報の印刷要求を送信する端末とを有し、
前記情報処理装置は、前記端末から前記利用者属性情報と前記印刷要求とを受け付けて、前記利用者属性情報に基づいて取得した前記付加情報から付加情報を選択し、当該選択した付加情報を前記端末に送信し、
前記端末は、前記選択した付加情報を表示する情報配信システム。
【請求項２】
前記端末は、前記選択した付加情報の印刷操作を受け付けると前記情報処理装置に印刷要求を送信し、
前記情報処理装置は、前記選択した付加情報の印刷処理を実行する請求項１に記載の情報配信システム。
【請求項３】
前記機器属性情報は、前記端末において前記選択した付加情報が表示された回数及び／又は前記情報処理装置において前記選択した付加情報が印刷処理された回数に基づいて定まる値を前記属性値として有する請求項１又は２に記載の情報配信システム。
【請求項４】
前記機器属性情報は、前記情報処理装置において前記選択した付加情報が印刷処理されて出力された印刷物が、使用された回数に基づいて定まる値を前記属性値として有する請求項１又は２に記載の情報配信システム。
【請求項５】
自己の装置の使用状況に応じた属性値が設定される機器属性情報を記憶する記憶手段と、
当該機器属性情報に基づいた付加情報を外部から受信する付加情報受信手段と、
外部端末から文書情報の印刷要求を受信する印刷要求受信手段と、
前記外部端末から、当該外部端末の利用者の属性値が設定される利用者属性情報を受信する利用者属性情報受信手段と、
前記利用者属性情報に基づいて前記付加情報受信手段が受信した前記付加情報から付加情報を選択する選択手段と、
当該選択した付加情報を前記外部端末に送信する送信手段とを有する情報処理装置。
【請求項６】
コンピュータを、
自己の装置の使用状況に応じた属性値が設定される機器属性情報を記憶する記憶手段と、
当該機器属性情報に基づいた付加情報を外部から受信する付加情報受信手段と、
外部端末から文書情報の印刷要求を受信する印刷要求受信手段と、
前記外部端末から、当該外部端末の利用者の属性値が設定される利用者属性情報を受信する利用者属性情報受信手段と、
前記利用者属性情報に基づいて前記付加情報受信手段が受信した前記付加情報から付加情報を選択する選択手段と、
当該選択した付加情報を前記外部端末に送信する送信手段として機能させるための情報配信プログラム。
【発明の詳細な説明】
【技術分野】
【０００１】
本発明は、情報配信システム、情報処理装置及び情報配信プログラムに関する。
【背景技術】
【０００２】
従来の技術として、印刷装置の設置された場所、印刷を実行する時間帯等に応じて選択された広告を印刷物に合成して印刷する情報配信システムが提案されている（例えば、特許文献１参照）。
【０００３】
特許文献１に開示された情報配信システムは、現行読取部で読み取った原稿画像から余白領域を検出する印刷装置と、印刷装置の設置された場所、印刷を実行する時間帯等の条件に応じて選択された付加情報の一例としての広告であって印刷装置が読み取った余白領域の形状に合わせた形状を有する広告画像を印刷装置に送信する広告サーバとを有し、印刷装置は原稿画像に広告画像を合成して出力する。
【先行技術文献】
【特許文献】
【０００４】
【特許文献１】特開平８−２５６２５６号公報
【発明の概要】
【発明が解決しようとする課題】
【０００５】
本発明の目的は、印刷物の美観を損なうことなく、条件に応じて選択された広告を提示する情報配信システム、情報処理装置及び情報配信プログラムを提供することにある。
【課題を解決するための手段】
【０００６】
本発明の一態様は、上記目的を達成するため、以下の情報配信システム、情報処理装置及び情報配信プログラムを提供する。
【０００７】
［１］自己の装置の使用状況に応じた属性値が設定される機器属性情報を記憶し、当該機器属性情報に基づいて外部から付加情報を取得する情報処理装置と、
利用者の属性値が設定される利用者属性情報を記憶し、当該利用者属性情報とともに前記情報処理装置に文書情報の印刷要求を送信する端末とを有し、
前記情報処理装置は、前記端末から前記利用者属性情報と前記印刷要求とを受け付けて、前記利用者属性情報に基づいて取得した前記付加情報から付加情報を選択し、当該選択した付加情報を前記端末に送信し、
前記端末は、前記選択した付加情報を表示する情報配信システム。
【０００８】
［２］前記端末は、前記選択した付加情報の印刷操作を受け付けると前記情報処理装置に印刷要求を送信し、
前記情報処理装置は、前記選択した付加情報の印刷処理を実行する前記[１]に記載の情報配信システム。
【０００９】
［３］前記機器属性情報は、前記端末において前記選択した付加情報が表示された回数及び／又は前記情報処理装置において前記選択した付加情報が印刷処理された回数に基づいて定まる値を前記属性値として有する前記[１]又は[２]に記載の情報配信システム。
【００１０】
［４］前記機器属性情報は、前記情報処理装置において前記選択した付加情報が印刷処理されて出力された印刷物が、使用された回数に基づいて定まる値を前記属性値として有する前記[１]又は[２]に記載の情報配信システム。
【００１１】
［５］自己の装置の使用状況に応じた属性値が設定される機器属性情報を記憶する記憶手段と、
当該機器属性情報に基づいた付加情報を外部から受信する付加情報受信手段と、
外部端末から文書情報の印刷要求を受信する印刷要求受信手段と、
前記外部端末から、当該外部端末の利用者の属性値が設定される利用者属性情報を受信する利用者属性情報受信手段と、
前記利用者属性情報に基づいて前記付加情報受信手段が受信した前記付加情報から付加情報を選択する選択手段と、
当該選択した付加情報を前記外部端末に送信する送信手段とを有する情報処理装置。
【００１２】
［６］コンピュータを、
自己の装置の使用状況に応じた属性値が設定される機器属性情報を記憶する記憶手段と、
当該機器属性情報に基づいた付加情報を外部から受信する付加情報受信手段と、
外部端末から文書情報の印刷要求を受信する印刷要求受信手段と、
前記外部端末から、当該外部端末の利用者の属性値が設定される利用者属性情報を受信する利用者属性情報受信手段と、
前記利用者属性情報に基づいて前記付加情報受信手段が受信した前記付加情報から付加情報を選択する選択手段と、
当該選択した付加情報を前記外部端末に送信する送信手段として機能させるための情報配信プログラム。
【発明の効果】
【００１３】
請求項１、５又は６に係る発明によれば、印刷物の美観を損なうことなく、条件に応じて選択された広告を提示することができる。
【００１４】
請求項２に係る発明によれば、印刷物の美観を損なうことなく、条件に応じて選択された広告を提示した後に、印刷することができる。
【００１５】
請求項３に係る発明によれば、付加情報が表示された回数及び／又は付加情報が印刷処理された回数に基づいて付加情報を選択することができる。
【００１６】
請求項４に係る発明によれば、印刷された付加情報が使用された回数に基づいて付加情報を選択することができる。
【図面の簡単な説明】
【００１７】
【図１】図１は、本発明の実施の形態に係る情報配信システムの構成の一例を示すブロック図である。
【図２】図２は、端末の構成の一例を示すブロック図である。
【図３】図３は、印刷装置の構成の一例を示すブロック図である。
【図４】図４は、利用者属性情報の構成の一例を示す概略図である。
【図５】図５は、機器属性情報の構成の一例を示す概略図である。
【図６】図６は、付加情報の構成の一例を示す概略図である。
【図７】図７は、情報配信システムの動作の一例を示すフローチャートである。
【図８】図８は、利用者属性情報の構成の他の例を示す概略図である。
【図９】図９は、第２の実施の形態に係る情報配信システムの構成の一例を示すブロック図である。
【発明を実施するための形態】
【００１８】
［第１の実施の形態］
（情報配信システムの構成）
図１は、第１の実施の形態に係る情報配信システムの構成の一例を示すブロック図である。
【００１９】
本発明の第１の実施の形態の一例として、情報配信システム５は、情報配信サーバ１、端末２、印刷装置３等を有し、ネットワーク４で各装置を互いに通信可能に接続する。
【００２０】
情報配信サーバ１は、情報を処理するための機能を備えたＣＰＵ（Ｃｅｎｔｒａｌ  Ｐｒｏｃｅｓｓｉｎｇ  Ｕｎｉｔ）や情報を記憶するためのＨＤＤ（Ｈａｒｄ  Ｄｉｓｋ  Ｄｒｉｖｅ）等の電子部品を備える情報処理装置であり、付加情報の一例として広告等の情報を記憶部に格納し、必要に応じて印刷装置３に送信する。
【００２１】
端末２は、情報配信サーバ１と通信するものであり、操作入力用のキーボード、マウス、タッチパッド等の操作部と、液晶ディスプレイ等の表示部と、ＣＰＵや記憶部等の電子部品を有する制御部とを備える。端末２は、利用者の操作に応じて文書情報等を印刷処理し、印刷装置３に送信する。また、印刷装置から受信した付加情報を表示部に表示する。
【００２２】
なお、端末２は、例えば、パーソナルコンピュータであり、その他にＰＤＡ（Ｐｅｒｓｏｎａｌ  Ｄｉｇｉｔａｌ  Ａｓｓｉｓｔａｎｔ）、携帯電話機等を用いることもできる。また、端末２は、同図では１台を図示するが、複数台でもよい。
【００２３】
印刷装置３は、端末２から受信する印刷情報又は情報配信サーバ１から受信する付加情報に基づいて印刷を実行し、印刷物を出力する印刷機能を少なくとも有し、さらに紙面等を光学走査するスキャナ機能やファクシミリ機能等を有してもよい。また、ＬＣＤ（Ｌｉｑｕｉｄ  Ｃｒｙｓｔａｌ  Ｄｉｓｐｌａｙ）等の表示部及びタッチパッド又は複数の操作キーからなる操作部をさらに有してもよい。
【００２４】
ネットワーク４は、インターネット、ＬＡＮ（Ｌｏｃａｌ  Ａｒｅａ  Ｎｅｔｗｏｒｋ）等の通信網であり、有線、無線は問わない。
【００２５】
上記した情報配信システム５において、印刷装置３は情報配信サーバ１から付加情報を受信し、端末２が文書情報の印刷を印刷装置に要求すると、印刷装置は印刷要求を受け付けた時間帯や印刷装置の設置場所等の条件に応じて付加情報を選択し、端末２に送信する。端末２は付加情報を表示部に表示し、当該付加情報の印刷操作を受け付けた場合は、印刷装置において文書情報の印刷と付加情報の印刷とを実行するよう要求する。このように動作することで、端末２で印刷を実行しようとした際に利用者に広告等の付加情報を提示し、利用者が望む場合は広告等の印刷を実行するものである。
【００２６】
（携帯端末の構成）
図２は、端末２の構成の一例を示すブロック図である。
【００２７】
端末２は、ＣＰＵ等から構成され各部を制御するとともに各種のプログラムを実行する制御部２０と、ＨＤＤやフラッシュメモリ等の記録媒体から構成され情報を記憶する記憶装置の一例としての記憶部２１と、ネットワーク４を介して外部と通信する通信部２２と、タッチパッド又は複数の操作キーからなる操作部２３と、ＬＣＤ等の表示部２４とを備える。
【００２８】
制御部２０は、記憶部２１の印刷処理プログラム２１０を実行することで、印刷処理手段２００及び印刷要求送信手段２０１等として機能し、付加情報表示プログラム２１１を実行することで利用者属性情報送信手段２０２、付加情報受信手段２０３及び付加情報表示手段２０４等として機能する。
【００２９】
印刷処理手段２００は、文書情報２１２を印刷処理して印刷情報を生成する。
【００３０】
印刷要求送信手段２０１は、印刷処理手段２００が生成した印刷情報とともに印刷装置３に印刷要求を送信する。
【００３１】
利用者属性情報送信手段２０２は、印刷要求送信手段２０１が印刷要求を送信する際に、端末２を操作している利用者の利用者属性情報２１３を印刷装置３に送信する。
【００３２】
付加情報受信手段２０３は、印刷装置３から付加情報３１５を受信して記憶部２１に付加情報２１４として格納する。
【００３３】
付加情報表示手段２０４は、付加情報受信手段２０３が受信した付加情報２１４を表示部２４に表示する。
【００３４】
（印刷装置の構成）
図３は、印刷装置３の構成の一例を示すブロック図である。
【００３５】
印刷装置３は、ＣＰＵ等から構成され各部を制御するとともに各種のプログラムを実行する制御部３０と、ＨＤＤやフラッシュメモリ等の記録媒体から構成され情報を記憶する記憶装置の一例としての記憶部３１と、ネットワーク４を介して外部と通信する通信部３２と、印刷を実行し印刷物を出力する印刷機能部３３とを備える。
【００３６】
制御部３０は、記憶部３１の印刷処理プログラム３１０を実行することで、印刷要求受信手段３００及び印刷処理手段３０５等として機能し、付加情報配信プログラム３１１を実行することで、利用者属性情報受信手段３０１、付加情報受信手段３０２、付加情報選択手段３０３及び付加情報送信手段３０４等として機能する。
【００３７】
印刷要求受信手段３００は、端末２から送信された印刷要求及び印刷情報を受信して、記憶部３１に印刷情報３１３として格納する。
【００３８】
利用者属性情報受信手段３０１は、端末２から送信された利用者属性情報２１３を受信して、記憶部３１に利用者属性情報３１４として格納する。
【００３９】
付加情報受信手段３０２は、機器属性情報３１２に基づいて情報配信サーバ１から付加情報を受信して、記憶部３１に付加情報３１５として格納する。
【００４０】
付加情報選択手段３０３は、利用者属性情報３１４に基づいて付加情報３１５から適切な付加情報を選択する。
【００４１】
付加情報送信手段３０４は、付加情報選択手段３０３が選択した付加情報を端末２に送信する。
【００４２】
印刷処理手段３０５は、印刷機能部３３において印刷情報３１３の印刷を実行して用紙を出力する。また、印刷処理手段３０５は、付加情報送信手段３０４が端末２に送信した付加情報について、端末２から印刷要求を受け付けると当該付加情報の印刷を実行して用紙を出力する。
【００４３】
図４は、利用者属性情報２１３の構成の一例を示す概略図である。
【００４４】
利用者属性情報２１３は、利用者の属性の名称を示す属性名欄と、属性の値を示す属性値欄とを有する。
【００４５】
属性名欄の「年齢」は利用者の年齢を、「性別」は利用者の性別を、「興味１」及び「興味２」は利用者の興味ある事柄をそれぞれ示す。なお、上記した属性名欄の属性は一例であり、「役職」、「勤続年数」、「家族構成」等の他の属性を用いてもよい。
【００４６】
図５は、機器属性情報３１２の構成の一例を示す概略図である。
【００４７】
機器属性情報３１２は、機器の属性の名称を示す属性名欄と、属性の値を示す属性値欄とを有する。
【００４８】
属性名欄の「位置」は機器（印刷装置３）の設置位置を、「社員数」は機器（印刷装置３）の設置された会社の社員数を、「業種」は機器（印刷装置３）の設置された会社の業種名を、「機器ロイヤリティ」は機器（印刷装置３）において付加情報が利用された度合をそれぞれ示す。「機器ロイヤリティ」は、例えば、（当該機器において付加情報が表示された回数）＋（当該機器において付加情報が印刷された回数）×１０といった計算方法で算出される値である。
【００４９】
なお、上記した属性名欄の属性は一例であり、機器の「モデル名」や「メーカー」、会社の「設立年数」等の他の属性を用いてもよい。
【００５０】
図６は、付加情報３１５の構成の一例を示す概略図である。
【００５１】
付加情報３１５は、複数の付加情報を識別するための識別子（以下、「ＩＤ」という。）を示すＩＤ欄と、複数の付加情報をグループに分けるためのＩＤを示すグループＩＤ欄と、付加情報の内容としての文書情報を示す内容欄と、付加情報の一例として広告等の提供主を示すオーナー欄と、機器（印刷装置３）において付加情報が利用されている度合の条件を示す機器ロイヤリティ欄と、機器（印刷装置３）の設置位置の条件を示す位置欄と、機器（印刷装置３）が設置されている会社の社員数の条件を示す社員数欄と、機器（印刷装置３）が設置されている会社の業種の条件を示す業種欄と、機器（印刷装置３）において印刷が要求される日時、時間帯の条件を示す日時、時間帯欄と、印刷を要求した利用者の年齢の条件を示す対象年齢欄と、印刷を要求した利用者の性別の条件を示す性別欄と、印刷を要求した利用者の興味の条件を示す興味欄とを有する。
【００５２】
なお、上記欄内の値が「ＡＮＹ」である付加情報は、値の条件がいずれでもよいことを示す。また、上記した属性名欄の属性は一例であり、他の属性を用いてもよい。
【００５３】
（情報配信システムの動作）
次に、本実施の形態の作用を、（１）付加情報取得動作、（２）付加情報選択動作、（３）付加情報表示・印刷動作に分けて説明する。
【００５４】
図７は、情報配信システム５の動作の一例を示すフローチャートである。
【００５５】
（１）付加情報取得動作
まず、印刷装置３は、付加情報３１５を取得するために機器属性情報３１２を情報配信サーバ１に送信する（Ｓ３０）。
【００５６】
情報配信サーバ１は、印刷装置３から図５に示す機器属性情報３１２を受信し（Ｓ１０）、位置、社員数、業種、機器ロイヤリティの条件を満たす付加情報を検索して（Ｓ１１）、検索結果を印刷装置３に送信する（Ｓ１２）。
【００５７】
例えば、図６に示す付加情報３１５については、位置が「横浜市西区みなとみらい」の上位概念の「横浜市西区」又は「ＡＮＹ」のもの、社員数が「１０００人」を含む「１０００人以上」又は「ＡＮＹ」のもの、業種が「ＯＡ機器メーカー」の上位概念の「メーカー」又は「ＡＮＹ」のもの、機器ロイヤリティが「Ｍｉｄ」又は「ＡＮＹ」のものであるため、ＩＤ欄が１、３、４、５のものが条件を満たす付加情報となる。
【００５８】
印刷装置３は、この例においては、付加情報３１５のうちＩＤ欄が１、３、４、５の付加情報を受信する（Ｓ３１）。
【００５９】
なお、印刷装置３が付加情報を受信するタイミングは、予め定められた期間毎に情報配信サーバ１に定期的に問い合わせを行うものであってもよいし、情報配信サーバ１の付加情報が更新される度に印刷装置３に配信するものであってもよい。また、端末２から印刷要求を受け付ける度に印刷装置３から情報配信サーバ１に問い合わせを行うものであってもよい。
【００６０】
（２）付加情報選択動作
次に、端末２において文書情報２１２の印刷処理をするよう利用者が操作部２３を操作して指示すると、端末２の印刷処理手段２００は当該印刷指示を受け付けて（Ｓ２０）、文書情報２１２を印刷処理して印刷情報を生成する。なお、この時、印刷サイズ、印刷部数等の詳細を決定するための印刷設定画面を表示部２４に表示する。
【００６１】
次に、端末２の印刷要求送信手段２０１は、印刷処理手段２００が生成した印刷情報とともに印刷装置３に印刷要求を送信する（Ｓ２１）。
【００６２】
また、端末２の利用者属性情報送信手段２０２は、印刷要求送信手段２０１が印刷要求を送信する際に、利用者の利用者属性情報２１３を印刷装置３に送信する（Ｓ２２）。
【００６３】
次に、印刷装置３の印刷要求受信手段３００は、端末２から送信された印刷要求及び印刷情報を受信して、記憶部３１に印刷情報３１３として格納する（Ｓ３２）。
【００６４】
また、印刷装置３の利用者属性情報受信手段３０１は、端末２から送信された利用者属性情報２１３を受信して、記憶部３１に利用者属性情報３１４として格納する（Ｓ３３）。
【００６５】
次に、印刷装置３の付加情報選択手段３０３は、利用者属性情報３１４に基づいて付加情報３１５から適切な付加情報を選択する（Ｓ３４）。例えば、図４に示す利用者属性情報２１３を利用者属性情報３１４として受信した場合は、印刷装置３が受信したＩＤ欄が１、３、４、５の付加情報３１５のうち、ＩＤ欄が３、４、５のものは興味欄が不一致であるため、ＩＤ欄が１のものが選択される。
【００６６】
次に、印刷装置３の付加情報送信手段３０４は、付加情報選択手段３０３が選択した付加情報を端末２に送信する（Ｓ３５）。
【００６７】
（３）付加情報表示・印刷動作
【００６８】
次に、端末２の付加情報受信手段２０３は、印刷装置３から付加情報を受信して記憶部２１に付加情報２１４として格納する（Ｓ２３）。
【００６９】
次に、端末２の付加情報表示手段２０４は、付加情報受信手段２０３が受信した付加情報２１４を表示部２４に表示された印刷設定画面とともに、又は印刷設定画面に重畳して表示する（Ｓ２４）。なお、ステップＳ３４において選択された付加情報が複数ある場合は、スクロールするなどして順次表示してもよい。また、表示順は、一例として、合致する項目数が多いものから優先して表示するようにしてもよい。
【００７０】
次に、利用者は表示部２４に表示された付加情報２１４の印刷を所望する場合には、当該付加情報２１４の印刷処理をするよう操作部２３を操作して指示する。
【００７１】
端末２の印刷要求送信手段２０１は、上記印刷指示を受け付けた場合（Ｓ２５；Ｙｅｓ）、印刷装置３に付加情報の印刷要求を送信する（Ｓ２６）。また、ステップＳ２１で印刷要求した文書情報２１２の印刷についても、印刷を実行するよう印刷装置３に印刷実行指示を送信する（Ｓ２７）。付加情報を印刷するか否かを決定しないと文書情報の印刷を実行する印刷設定画面に戻ることができないようにしてもよい。
【００７２】
印刷装置３の印刷要求受信手段３００は、付加情報の印刷要求及び文書情報２１２の印刷実行指示を受信する（Ｓ３６、Ｓ３７）。
【００７３】
次に、印刷装置３の印刷処理手段３０５は、印刷機能部３３において印刷情報３１３の印刷を実行して用紙を出力する。また、印刷処理手段３０５は付加情報の印刷を実行して用紙を出力する（Ｓ３８）。
【００７４】
（第１の実施の形態の効果）
上記した第１の実施の形態によると、印刷装置３の機器属性情報３１２及び利用者の利用者属性情報２１３の内容に応じて印刷装置３及び利用者の属性等の条件に適した付加情報を選択し、選択された付加情報を印刷物に直接印刷せずに端末２の表示部２４の印刷設定画面において表示したため、印刷物の美観を損なうことなく、条件に応じて選択された広告を提示することができる。
【００７５】
また、利用者が付加情報の印刷を要求する場合は、印刷装置３において文書情報の印刷とは別に付加情報を印刷するようにしたため、印刷物の美観を損なうことなく、条件に応じて選択された広告を印刷して提示することができる。
【００７６】
なお、本発明は、上記実施の形態に限定されず、本発明の趣旨を逸脱しない範囲で種々な変形が可能である。例えば、以下のように変形してもよい。
【００７７】
図８は、利用者属性情報の構成の他の例を示す概略図である。
【００７８】
利用者属性情報２１３Ａは、上記実施の形態の利用者属性情報２１３に加えて、属性名欄に「利用者ロイヤリティ」を有する。「利用者ロイヤリティ」は利用者によって付加情報が利用された度合を示し、例えば、（当該利用者によって付加情報が表示された回数）＋（当該利用者によって付加情報が印刷された回数）×１０といった計算方法で算出される値である。
【００７９】
上記した利用者属性情報２１３Ａは、図７のフローチャートのステップＳ３４で用いられる。また、この場合、ステップＳ１１において機器ロイヤリティを用いずに付加情報を検索するようにしてもよい。
【００８０】
［第２の実施の形態］
図９は、第２の実施の形態に係る情報配信システムの構成の一例を示すブロック図である。
【００８１】
第２の実施の形態として、情報配信システム７は、情報配信サーバ１、端末２、印刷装置３に加えて、バーコードリーダー６０を備えた読取装置６を有し、ネットワーク４で各装置を互いに通信可能に接続する。
【００８２】
付加情報印刷物３３０は、印刷装置３において付加情報を印刷して出力されたものであり、バーコードリーダー６０で読み取り可能なバーコード３３０ａを有する。バーコード３３０ａは、印刷された印刷装置のＩＤや印刷を要求した端末のＩＤ又は印刷を要求した利用者のＩＤ等の情報を含む。なお、バーコードに限らずＱＲコード（登録商標）等の他の読み取り可能な図形を用いることができる。また、バーコード３３０ａに代えて英数字等を含む記号列を付加情報印刷物３３０に印刷してもよい。この場合は、読取装置６にキーボードなどを用意して入力する。
【００８３】
上記構成において、付加情報印刷物３３０がクーポンのような印刷物である場合に、当該クーポンを利用する店舗に読取装置６を設置し、クーポンの利用とともにバーコード３３０ａをバーコードリーダーで読み取ることにより、付加情報印刷物３３０が使用されたという情報がネットワーク４を介して情報配信サーバ１、端末２、印刷装置３等に送信される。
【００８４】
情報配信サーバ１、端末２又は印刷装置３は、上記した情報を受信すると、それぞれ利用者属性情報２１３、３１４の利用者ロイヤリティ又は機器属性情報３１２の機器ロイヤリティ等を更新する。
【００８５】
ここで、「利用者ロイヤリティ」は、（当該利用者によって付加情報が表示された回数）＋（当該利用者によって付加情報が印刷された回数）×１０（付加情報が印刷された印刷物が使用された回数）×１００といった計算方法で算出される。また、「機器ロイヤリティ」は、例えば、（当該機器において付加情報が表示された回数）＋（当該機器において付加情報が印刷された回数）×１０＋（付加情報が印刷された印刷物が使用された回数）×１００といった計算方法で算出される。
【００８６】
（第２の実施の形態の効果）
上記した第２の実施の形態によると、第１の実施の形態の効果に加え、付加情報印刷物３３０のバーコード３３０ａを読取装置６で読み取ることにより、利用者属性情報２１３、３１４の利用者ロイヤリティ、機器属性情報３１２の機器ロイヤリティ等を更新することとしたため、当該付加情報印刷物３３０が使用されたか否かを次回以降の付加情報の提示の指標として利用することができる。
【００８７】
上記実施の形態では制御部２０及び３０の各手段２００〜２０４及び３００〜３０５の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【００８８】
１     情報配信サーバ
２     端末
３     印刷装置
４     ネットワーク
５     情報配信システム
６     読取装置
７     情報配信システム
２０   制御部
２１   記憶部
２２   通信部
２３   操作部
２４   表示部
３０   制御部
３１   記憶部
３２   通信部
３３   印刷機能部
６０   バーコードリーダー
２００ 印刷処理手段
２０１ 印刷要求送信手段
２０２ 利用者属性情報送信手段
２０３ 付加情報受信手段
２０４ 付加情報表示手段
２１０ 印刷処理プログラム
２１１ 付加情報表示プログラム
２１２ 文書情報
２１３ 利用者属性情報
３００ 印刷要求受信手段
３０１ 利用者属性情報受信手段
３０２ 付加情報受信手段
３０３ 付加情報選択手段
３０４ 付加情報送信手段
３０５ 印刷処理手段
３１０ 印刷処理プログラム
３１１ 付加情報配信プログラム
３１２ 機器属性情報
３１３ 印刷情報
３１４ 利用者属性情報
３１５ 付加情報
３３０ 付加情報印刷物
３３０ａ      バーコード
【図１】
2014078200.tif 000003
【図２】
2014078200.tif 000004
【図３】
2014078200.tif 000005
【図４】
2014078200.tif 000006
【図５】
2014078200.tif 000007
【図６】
2014078200.tif 000008
【図７】
2014078200.tif 000009
【図８】
2014078200.tif 000010
【図９】
2014078200.tif 000011